(57)【要約】      （修正有）【課題】測定の過程中に各種のデータを即時に表示可能で、ユーザがこれらのデータにより溶接機の状況を直接に判断可能な電気漏れ測定装置を提供する。【解決手段】電圧測定回路と電気的に接続しているコンセントを有する機器本体１０と、機器本体のコンセントの出力端に設けられており、処理ユニットを有する電圧測定回路と、電圧測定回路の処理ユニット及び電圧測定ユニットと電気的に接続しており、選択スイッチユニット３１と、電源入力スイッチ３２と、テスト起動スイッチ３３と、数値表示ユニット３４と、を有する制御表示モジュール３０と、制御表示モジュールと電気的に接続しており、機器本体に挿入穴が二つ設けられており、二つの挿入穴には正極回路と、負極回路と、がそれぞれ電気的に接続されており、正極回路にテストロードが設けられている溶接機電撃防止測定モジュール５０と、を少なくとも含む。【選択図】図１
0003185609.tif 000002
【実用新案登録請求の範囲】
【請求項１】
電圧測定回路と電気的に接続しているコンセントを有する機器本体と、
前記機器本体の前記コンセントの出力端に設けられており、処理ユニットを有し、前記処理ユニットは、少なくとも一つの電圧測定ユニットを介して前記機器本体の前記コンセントと電気的に接続している前記電圧測定回路と、
前記電圧測定回路の前記処理ユニット及び前記電圧測定ユニットと電気的に接続しており、テスト電圧を選択するための選択スイッチユニットと、電源を前記コンセントに流すための電源入力スイッチと、テスト動作を起動するためのテスト起動スイッチと、測定されたデータを表示するための数値表示ユニットと、を有する制御表示モジュールと、
前記制御表示モジュールと電気的に接続しており、前記機器本体に挿入穴が二つ設けられており、前記二つの挿入穴が電圧測定ユニットと電気的に接続しており、電気回路を形成するために、前記二つの挿入穴には、正極回路と、負極回路と、がそれぞれ電気的に接続されており、前記正極回路にテストロードが設けられており、前記正極回路と前記負極回路の間にスイッチユニットが設けられており、前記スイッチユニットが前記制御ユニットと電気的に接続しており、前記制御ユニットの出力端が前記制御表示モジュールと電気的に接続している溶接機電撃防止測定モジュールと、
を少なくとも含むことを特徴とする電気漏れ測定装置。
【請求項２】
前記機器本体にコンセントが三つ設けられており、前記三つのコンセントは、それぞれ１１０ボルトの電気機器と電気的に接続するための第１コンセント、単相の２２０ボルトの電気機器と電気的に接続するための第２コンセント及び三相の２２０ボルトの電気機器と電気的に接続するための第３コンセントであり、前記電圧測定回路は、１１０ボルトの電圧を測定するための電圧測定ユニットと、単相の２２０ボルトの電圧を測定するための単相電圧測定ユニットと、三相の２２０ボルトの電圧を測定するための三相電圧測定ユニットと、を有することを特徴とする、請求項１に記載の電気漏れ測定装置。
【請求項３】
前記制御表示モジュールの前記テスト起動スイッチは運転指示ランプを有し、前記運転指示ランプにより、ユーザが機器がテストされているかどうかを把握可能であることを特徴とする、請求項１に記載の電気漏れ測定装置。
【請求項４】
前記制御表示モジュールの前記数値表示ユニットは、テスト時間、漏れ電流、電圧及び電流などの数値を表示可能なＬＥＤ表示器を有することを特徴とする、請求項１に記載の電気漏れ測定装置。
【請求項５】
前記制御表示モジュールは合格指示ユニットを有し、前記合格指示ユニットは、合格指示子と、故障指示子と、を含むことを特徴とする、請求項１に記載の電気漏れ測定装置。
【請求項６】
前記制御表示モジュールは表示ユニットを有し、前記表示ユニットは、各種の模様及び文字を表示可能なＬＣＤ表示器であることを特徴とする、請求項１に記載の電気漏れ測定装置。
【請求項７】
前記制御表示モジュールはラベル印刷ユニットを有し、前記ラベル印刷ユニットは、当該テストの合格ラベルを印刷することが可能であることを特徴とする、請求項１に記載の電気漏れ測定装置。
【考案の詳細な説明】
【技術分野】
【０００１】
本考案は、電気漏れ測定装置に関し、特に、測定されたデータを直接に表示可能であり、ユーザが電気機器のテストの状況を確実に把握可能であり、電気機器の利用の安全性を増加することが可能な電気漏れ測定装置に関するものである。
【背景技術】
【０００２】
各種の工事現場では、溶接機、穴あけ機、攪拌器、切断機、空気圧機器などの電気を利用する機器が多い。これらの電気機器は、使用期限、接点の劣化、湿気、鼠などによる噛み及び磨耗などにより、電気漏れがよくある。上記の問題を解決するために、本願の出願者は、特許文献１の台湾第Ｍ３２１９９６号、特許文献２の台湾第Ｍ３９５８７４号及び特許文献３の台湾第Ｍ３９５８２９号の電気漏れ測定装置を提案した。しかし、従来の電気漏れ測定装置は、測定された各種のデータを直接に量化して表示できず、合格するかどうかだけを知ることが可能である。このように、不合格状態に近接している電気機器の状況を確実に把握できないため、不合格となる前に当該機器を修理や調整することができない。これにより、このような電気機器の利用の安全性は良くない。
【０００３】
図５を参照する。図５は従来の溶接機の自動電撃防止装置を示す簡易な構成図である。溶接機６０は、スイッチ７０を介して電源と電気的に接続している。溶接機６０に電撃防止装置８０が設けられていることが一般的である。溶接機６０には、溶接棒ハンドルと電気的に接続している回路ケーブル６１と、母材と電気的に接続している回路ケーブル６５と、が設けられている。回路ケーブル６１を正極とし、回路ケーブル６５を負極とする。溶接機６０の出力側の無負荷電圧が８０ボルトだけであるが、５０ボルトの交流電はユーザにとって致命的な電圧である。４０ボルト以下の電圧は、ユーザにとって安全な電圧と見られる。溶接機６０による電撃の原因は、ユーザが溶接機の二次側の通電部分に接触することである。溶接機の二次側の通電部分に接触して電撃される原因は、絶縁層が破壊された溶接棒ハンドルを使用し、ユーザが絶縁手袋を着用せず、又は絶縁手袋に湿気があることである。このため、市販している溶接機６０には、電撃防止装置８０が設けられていることが一般的である。電撃防止装置８０により、電撃されているときの電圧を降下することが可能である。
【０００４】
このように、電撃防止装置８０が正常であるかどうかは、溶接機６０の利用の安全性を直接に影響する。しかし、電撃防止装置８０を測定するための機器が開発されていないため、ユーザは電撃防止装置８０が正常であるかどうかを確実に把握することができない。このため、従来の溶接機８０の利用の安全性は良くないという問題があった。
【先行技術文献】
【特許文献】
【０００５】
【特許文献１】台湾実用新案登録第Ｍ３２１９９６号公報
【特許文献２】台湾実用新案登録第Ｍ３９５８７４号公報
【特許文献３】台湾実用新案登録第Ｍ３９５８２９号公報
【考案の概要】
【考案が解決しようとする課題】
【０００６】
本考案の主な目的は、測定の過程中に各種のデータを即時に表示可能であり、ユーザがこれらのデータによって溶接機の状況を直接に判断可能であり、溶接機の利用の安全性を増加可能な電気漏れ測定装置を提供することにある。
【０００７】
本考案の次の目的は、溶接機の電撃防止装置を測定することにより、ユーザは電撃防止装置が正常であるかどうかを判断可能であり、ひいては溶接機の利用の安全性を増加可能な電気漏れ測定装置を提供することにある。
【課題を解決するための手段】
【０００８】
本考案の電気漏れ測定装置によると、電圧測定回路と電気的に接続しているコンセントを有する機器本体と、
機器本体のコンセントの出力端に設けられており、処理ユニットを有し、処理ユニットは、少なくとも一つの電圧測定ユニットを介して機器本体のコンセントと電気的に接続している電圧測定回路と、
電圧測定回路の処理ユニット及び電圧測定ユニットと電気的に接続しており、テスト電圧を選択するための選択スイッチユニットと、電源をコンセントに流すための電源入力スイッチと、テスト動作を起動するためのテスト起動スイッチと、測定されたデータを表示するための数値表示ユニットと、を有する制御表示モジュールと、
制御表示モジュールと電気的に接続しており、機器本体に挿入穴が二つ設けられており、二つの挿入穴が電圧測定ユニットと電気的に接続しており、電気回路を形成するために、二つの挿入穴には、正極回路と、負極回路と、がそれぞれ電気的に接続されており、正極回路にテストロードが設けられており、正極回路と負極回路の間にスイッチユニットが設けられており、スイッチユニットが制御ユニットと電気的に接続しており、制御ユニットの出力端が制御表示モジュールと電気的に接続している溶接機電撃防止測定モジュールと、を少なくとも含むことを特徴とする。
【０００９】
本考案の電気漏れ測定装置によると、機器本体にコンセントが三つ設けられており、三つのコンセントは、それぞれ１１０ボルトの電気機器と電気的に接続するための第１コンセント、単相の２２０ボルトの電気機器と電気的に接続するための第２コンセント及び三相の２２０ボルトの電気機器と電気的に接続するための第３コンセントであり、電圧測定回路は、１１０ボルトの電圧を測定するための電圧測定ユニットと、単相の２２０ボルトの電圧を測定するための単相電圧測定ユニットと、三相の２２０ボルトの電圧を測定するための三相電圧測定ユニットと、を有することを特徴とする。
【００１０】
本考案の電気漏れ測定装置によると、制御表示モジュールのテスト起動スイッチは運転指示ランプを有し、運転指示ランプにより、ユーザは機器がテストされているかどうかを把握可能であることを特徴とする。
【００１１】
本考案の電気漏れ測定装置によると、制御表示モジュールの数値表示ユニットは、テスト時間、漏れ電流、電圧及び電流などの数値を表示可能なＬＥＤ表示器を有することを特徴とする。
【００１２】
本考案の電気漏れ測定装置によると、制御表示モジュールは合格指示ユニットを有し、合格指示ユニットは、合格指示子と、故障指示子と、を含むことを特徴とする。
【００１３】
本考案の電気漏れ測定装置によると、制御表示モジュールは表示ユニットを有し、表示ユニットは、各種の模様及び文字を表示可能なＬＣＤ表示器であることを特徴とする。
【００１４】
本考案の電気漏れ測定装置によると、制御表示モジュールはラベル印刷ユニットを有し、ラベル印刷ユニットは、当該テストの合格ラベルを印刷することが可能であることを特徴とする。
【考案の効果】
【００１５】
本考案の電気漏れ測定装置によれば、次のような効果がある。
（１）測定の過程中に各種のデータを即時に表示可能であり、ユーザがこれらのデータによって溶接機の状況を直接に判断可能であり、溶接機の利用の安全性を増加可能である。
【００１６】
（２）溶接機の電撃防止装置を測定することにより、ユーザは電撃防止装置が正常であるかどうかを判断可能であり、ひいては溶接機の利用の安全性を増加可能である。
【図面の簡単な説明】
【００１７】
【図１】本考案の一実施例を示す外観図である。
【図２】本考案の一実施例の簡易な電気回路を示す模式図である。
【図３】本考案の一実施例の溶接機電撃防止測定モジュールを示す簡易な構成図である。
【図４】本考案の一実施例の溶接機電撃防止測定モジュールの測定のタイミングを示す模式図である。
【図５】従来の溶接機の自動電撃防止装置を示す簡易な構成図である。
【考案を実施するための形態】
【００１８】
以下に、図面を参照しながら、本考案を実施するための最良の形態について詳述する。
【００１９】
図１及び図２を参照する。図１は本考案の一実施例を示す外観図であり、図２は本考案の一実施例の簡易な電気回路を示す模式図である。本考案の一実施例は、機器本体１０と、電圧測定回路２０と、制御表示モジュール３０と、溶接機電撃防止測定モジュール５０と、を少なくとも含む。
【００２０】
図１から図３を参照する。図３は本考案の一実施例の溶接機電撃防止測定モジュールを示す簡易な構成図である。機器本体１０はケース状を呈する。電圧測定回路２０は機器本体１０の内部に設けられている。制御表示モジュール３０は機器本体１０の表面に設けられている。機器本体１０には、電圧測定回路２０と電気的に接続しているコンセントが少なくとも一つ設けられている。本考案の実施例では、前記コンセントが三つある。三つの前記コンセントは、それぞれ１１０ボルトの電気機器と電気的に接続するための第１コンセント１１、単相の２２０ボルトの電気機器と電気的に接続するための第２コンセント１２及び三相の２２０ボルトの電気機器と電気的に接続するための第３コンセント１３である。
【００２１】
電圧測定回路２０は、機器本体１０の第１コンセント１１、第２コンセント１２及び第３コンセント１３と制御表示モジュール３０の間に設けられている。電圧測定回路２０は処理ユニット２００を有する。処理ユニット２００は、電圧測定ユニット２１を介して機器本体１０の第１コンセント１１と電気的に接続しており、これにより、１１０ボルトの電圧を有する電気機器を測定可能である。処理ユニット２００は、単相電圧測定ユニット２２を介して機器本体１０の第２コンセント１２と電気的に接続しており、これにより、単相２２０ボルトの電圧を有する電気機器を測定可能である。処理ユニット２００は、三相電圧測定ユニット２３を介して機器本体１０の第３コンセント１３と電気的に接続しており、これにより、三相２２０ボルトの電圧を有する電気機器を測定可能である。
【００２２】
制御表示モジュール３０は、電圧測定回路２０の処理ユニット２００、電圧測定ユニット２１、単相電圧測定ユニット２２及び三相電圧測定ユニット２３と電気的に接続している。制御表示モジュール３０は、テスト電圧を選択可能な選択スイッチユニット３１を有する。選択スイッチユニット３１は、第１コンセント１１、第２コンセント１２及び第３コンセント１３に対応するスイッチを含む。制御表示モジュール３０は電源入力スイッチ３２を有する。電源入力スイッチ３２を押圧することにより、電源がそれに対応する、第１コンセント１１、第２コンセント１２、又は第３コンセント１３に流入する。制御表示モジュール３０は、テスト動作を起動するためのテスト起動スイッチ３３を有する。テスト起動スイッチ３３は、電気機器がテストされているかどうかを表示するための運転指示ランプ３３０を有する。制御表示モジュール３０は、測定されたデータを表示するための数値表示ユニット３４を有する。数値表示ユニット３４は、テスト時間、漏れ電流、電圧及び電流などを表示可能なＬＥＤ表示器を有する。制御表示モジュール３０は合格指示ユニット３５を有する。合格指示ユニット３５は、合格指示子と、故障指示子と、を含む。制御表示モジュール３０は表示ユニット３６を有する。表示ユニット３６は、各種の模様及び文字を表示可能なＬＣＤ表示器である。制御表示モジュール３０はラベル印刷ユニット３７を有する。ラベル印刷ユニット３７は、合格指示ユニット３５の制御によって、当該テストの合格ラベルを印刷することが可能である。
【００２３】
溶接機電撃防止測定モジュール５０は制御表示モジュール３０と電気的に接続している。機器本体１０に挿入穴５０１、５０２が設けられている。溶接機６０の回路ケーブル１１、１５は、図５に示すように、挿入穴５０１、５０２にそれぞれ挿入することが可能である。挿入穴５０１、５０２は電圧測定ユニット５１と電気的に接続している。このように、溶接機６０の回路ケーブル１１、１５の電圧を測定することが可能である。また、電圧測定ユニット５１の後ろには、電圧値を収集し、テスト動作を制御可能な制御ユニット５２が電気的に接続されている。正極回路ケーブル６１に対応する挿入穴５０１には、正極回路５３が設けられている。負極回路ケーブル６５に対応する挿入穴５０２には、負極回路５４が設けられている。このように、電気回路が形成される。正極回路５３にテストロード５５が設けられている。正極回路５３と負極回路５４の間にスイッチユニット５６が設けられている。スイッチユニット５６は制御ユニット５２と電気的に接続している。制御ユニット５２は、スイッチユニット５６のオン・オフを制御することにより、テストロード５５を起動可能であり、電圧測定ユニット５１によって電圧を測定可能である。制御ユニット５２の出力端は制御表示モジュール３０と電気的に接続している。制御表示モジュール３０の数値表示ユニット３４により、テスト時間、漏れ電流、電圧及び電流などの数値を表示することが可能である。合格指示ユニット３５と表示ユニット３６とにより、電気機器が合格、又は故障しているかを表示することが可能である。ラベル印刷ユニット３７により、当該テストの合格ラベルを印刷することが可能である。
【００２４】
次に、本考案の一実施例の使用状態を説明する。図１及び図２を参照する。まず、テストしようとする電気機器の使用電圧（例えば１１０ボルト、単相２２０ボルト、又は三相２２０ボルト）によって、機器本体１０の第１コンセント１１、第２コンセント１２、又は第３コンセント１３に当該電気機器を挿入する。
【００２５】
次に、テストしようとする電気機器の使用電圧によって、制御表示モジュール３０の選択スイッチユニット３１を選択して起動して、制御表示モジュール３０の電源入力スイッチをオンにして、電源が当該電気機器に流入する。この後、制御表示モジュール３０のテスト起動スイッチ３３を押圧することにより、電圧測定ユニット２１、単相電圧測定ユニット２２、又は三相電圧測定ユニット２３と、電圧測定回路２０の処理ユニット２００とは、当該電気機器に対して電気漏れテストを行うことが可能である。
【００２６】
テストの過程中に、テスト時間、漏れ電流、電圧及び電流などの数値は、制御表示モジュール３０の数値表示ユニット３４のそれに対応するＬＥＤ表示器に表示される。このように、数値表示ユニット３４によって、ユーザはテストのデータを直接に把握することが可能である。このとき、制御表示モジュール３０の合格指示ユニット３５は、設定された標準によって当該電気機器が合格であるかどうかを判断して、合格指示子、又は故障指示子によって、その結果を表示する。最後に、合格指示ユニット３５の制御により、制御表示モジュール３０のラベル印刷ユニット３７は、それに対応する合格ラベルを印刷することが可能である。
【００２７】
溶接機６０の電撃防止装置８０を測定したい場合には、機器本体１０の溶接機電撃防止測定モジュール５０の挿入穴５０１、５０２に、溶接機６０の回路ケーブル６１、６５をそれぞれ挿入して、溶接機６０をオンにして、溶接機電撃防止測定モジュール５０の制御ユニット５２により、スイッチユニット５６をオンにすると、電圧測定ユニット５１により電圧を測定可能であり、そして測定の結果が溶接機電撃防止測定モジュール５０の制御表示モジュール３０に表示される。このように、図４に示すように、稼動時に、溶接機６０の電圧が規定の範囲内にあるかどうかを判断可能であり、電撃防止装置８０の機能が正常であるかどうかを有効に検知可能である。
【００２８】
上記のような構成によれば、電圧測定回路２０における電圧測定ユニット２１、単相電圧測定ユニット２２、又は三相電圧測定ユニット２３により、測定対象物とする電気機器の電気漏れの有無を測定可能であり、そして測定時に、テスト時間、漏れ電流、電圧及び電流などの数値を制御表示モジュール３０の数値表示ユニット３４に表示することが可能である。このように、ユーザは、これらのデータによって当該電気機器の状況を直接に判断可能であり、当該電気機器の不合格状態に近接しているときには、当該電気機器を交換、修理、又は調整することにより、当該電気機器の利用の安全性を増加可能である。
【００２９】
溶接機電撃防止測定モジュール５０が溶接機６０の回路ケーブル６１、６５に電気的に接続することが可能な電圧測定ユニット５１を有するという設計により、制御ユニット５２がスイッチユニット５６のオン・オフを制御してテストロード５５を起動すると、電圧測定ユニット５１が電圧を測定可能であり、そして測定の結果が制御表示モジュール３０に表示される。合格と判断された電撃防止装置８０に合格ラベルを貼り付けると、ユーザは合格ラベルを見て当該溶接機６０が安全であると判断して、安心に利用することが可能である。
【００３０】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００３１】
本考案は、溶接機に適用することができる。
【符号の説明】
【００３２】
１０：機器本体
１１：第１コンセント
１２：第２コンセント
１３：第３コンセント
２０：電圧測定回路
２１：電圧測定ユニット
２２：単相電圧測定ユニット
２３：三相電圧測定ユニット
３０：制御表示モジュール
３１：選択スイッチユニット
３２：電源入力スイッチ
３３：テスト起動スイッチ
３４：数値表示ユニット
３５：合格指示ユニット
３６：表示ユニット
３７：ラベル印刷ユニット
５０：溶接機電撃防止測定モジュール
５１：電圧測定ユニット
５２：制御ユニット
５３：正極回路
５４：負極回路
５５：テストロード
５６：スイッチユニット
６０：溶接機
６１：回路ケーブル
６５：回路ケーブル
７０：スイッチ
８０：電撃防止装置
２００：処理ユニット
３３０：運転指示ランプ
５０１：挿入穴
５０２：挿入穴
【図１】
0003185609.tif 000003
【図２】
0003185609.tif 000004
【図３】
0003185609.tif 000005
【図４】
0003185609.tif 000006
【図５】
0003185609.tif 000007